(57)【要約】  本発明は、制限受信ネットワーク放送システムから衝動的な番組購入を保証する装置と方法に関する。本発明は、顧客の対応する番組視聴システムにある、セキュリティモジュールを有するセットトップボックスに対するエンタイトルメントコードの提供を含む。衝動買いをしようと欲している顧客は、放送システムに要求を送信する。本発明の一実施形態において、顧客の受信装置からのメッセージを放送システムのヘッドエンドに送信して所望の購入を示す。衝動買い信号の受信に応じて、ヘッドエンドは授権コードを生成して送信する。その授権コードは、受信すると、受信したセットトップボックスに衝動買いした番組の復号を許可する。衝動買いした番組の授権コードは、その番組を実際に購入するセットトップボックスだけに送信される。これは、衝動買いの復号コードはイベントを購入する前にセキュリティモジュールにプリロードされている先行技術のシステムと対照的である。また、本発明は、課金レコードに必要なデータを生成し、このデータを課金センターに送信する。
2007529168.tif 000002
【特許請求の範囲】
【請求項１】
受信装置であって、
衝動買い選択を通信する手段と、
衝動買い選択に応答して授権キーを受信する手段と、
衝動買いの送信を受信する手段と、を有することを特徴とする受信装置。
【請求項２】
受信装置であって、
所望の衝動買い選択を示す手段と、
所望の衝動買い選択を通信する手段と、
所望の衝動買いした番組に固有の授権キーを受信する手段と、
所望の衝動買いの送信を受信する手段と、を有することを特徴とする受信装置。
【請求項３】
請求項２に記載の受信装置であって、
送信を受信する手段はセットトップボックスであることを特徴とする受信装置。
【請求項４】
請求項２に記載の受信装置であって、
授権キーを受信する手段はセキュリティモジュールを含むことを特徴とする受信装置。
【請求項５】
請求項２に記載の受信装置であって、
所望の衝動買いを通信する手段はセットトップボックスであることを特徴とする受信装置。
【請求項６】
受信装置であって、
衝動買いメッセージを送信し、それに応答して衝動買い番組を関連する授権キーを受信する同調・復号部と、
授権キーに応じてデジタル番組をビデオディスプレイにフォーマットするプログラムされた手段と、を有することを特徴とする受信装置。
【請求項７】
受信装置であって、
衝動買いメッセージを受信する同調・復号部と、
衝動買い番組と関連する授権手段を受信する手段と、
課金データを生成する手段と、を有することを特徴とする受信装置。
【請求項８】
衝動買い番組を購入する安全な手段を提供する方法であって、
衝動買い選択を示すメッセージをサービスプロバイダ手段に通信するステップと、
課金データを生成する手段と、
衝動買い番組に固有の授権手段を受信するステップと、
衝動買い番組を受信するステップと、
授権手段に応じて番組を表示するステップと、を有することを特徴とする方法。
【請求項９】
衝動買い番組を購入する安全な手段を提供する方法であって、
番組を受信する手段を利用して衝動買いをするステップと、
購入を示すメッセージを衝動買い番組の提供で利用したデータの受信手段に送信するステップと、
衝動買いを示すメッセージに応じて授権を受信するステップと、
衝動買い番組に固有の授権に応答して番組を受信するステップと、を有することを特徴とする方法。
【請求項１０】
請求項９に記載の方法であって、
課金レコードを生成するステップをさらに有することを特徴とする方法。
【請求項１１】
衝動買い番組を購入する安全な手段を提供する方法であって、
所望の衝動買い番組を選択するステップと、
所望の衝動買い番組選択をサービスプロバイダに通信するステップと、
所望の衝動買い番組に一意的に関連する授権コードを送信することにより、所望の衝動買い番組に応答するステップと、
所望の衝動買い番組と関連する授権コードをセキュリティモジュールに格納するステップと、
セキュリティモジュールに格納された授権コードに関連するエンタイトルメントコードを有する衝動買い番組を送信するステップと、
エンタイトルメントコードを復号するステップと、
エンタイトルメントコードをセキュリティモジュールに格納されたコードと比較して、衝動買い番組の視聴を許可するステップと、を有することを特徴とする方法。
【発明の詳細な説明】
【技術分野】
【０００１】
本発明は、限定受信マルチメディアプログラミング（ｐｒｏｇｒａｍｍｉｎｇ）を提供するマルチチャンネルビデオプログラミングディストリビュータ（ＭＶＰＤ）システムのための方法と装置に関する。
【背景技術】
【０００２】
受信契約者放送システムは、番組を視聴する目的で、サービスプロバイダの番組が放送されるヘッドエンドと、選択した番組を受信するセットトップボックスとを含む。イベントは放送されると、一般的には月間契約に基づき視聴されるが、ペイパービュー放送番組や、場合によっては、番組の放送時間がせまってから顧客がその視聴を決定する衝動買い（ｉｍｐｕｌｓｅ  ｐｕｒｃｈａｓｅ）などがある。現在の衝動買いシステムは、顧客が購入を欲するかも知れない全てのサービスを復号できる、セットトップボックスにあるセキュリティモジュールにアクセスキーを事前に格納している。顧客が購入すると、セキュリティモジュールはその購入を記録し、以前に（多くの場合、月間契約の最初に）取得したキーを用いて、顧客に要求の番組を視聴させる。セキュリティモジュールは事後的に課金センターと双方向通信チャンネルを設け、課金情報をサービスプロバイダに送信する。
【０００３】
図１に示した先行技術は、ヘッドエンドとセットトップボックスを利用する典型的な限定受信システムを示す。米国特許公報第６，５１０，５１９号も、典型的な限定受信システムについて詳細に記載している。セットトップボックスは、一般的に、チューナ、デモジュレータ、デコーダ、トランスポートデマルチプレクサ、マイクロプロセッサ、番組メモリ、ビデオピクチャメモリ、ＭＰＥＧビデオデコーダ、ディスプレイ、及びスマートカードを含む。ほとんどのデジタル放送システムデータストリームは、セキュリティのために符号化（ｅｎｃｏｄｅｄ）またはスクランブルされている。契約者（ｓｕｂｓｃｒｉｂｅｒ）は、制御ワードを含むＥＣＭ（共通情報、ｅｎｔｉｔｌｅｍｅｎｔ  ｃｏｎｔｒｏｌ  ｍｅｓｓａｇｅ）を受信する。セットトップボックスはこのＥＣＭを復号してデスクランブリングキーを作る。このデスクランブリングキーにより、符号化されたオーディオ信号とビデオ信号をアセンブルして消費することができる。復号制御ワードは顧客のセットトップボックスにプログラムされたアルゴリズムにより処理される。一般的には、データをさらに復号及びデスクランブリングするための５６ビットのデスクランブリングキーをトランスポートレジスタに格納している。システムは、一旦デスクランブリングすると、一般的にはＭＰＥＧ−２規格に従って、ビデオコンポジットピクチャをメモリに構成し、所望のピクチャをディスプレイに表示する。番組のデスクランブリングに加えて、権限を授与し、特定のセットトップボックスが番組を受信できるようにする。
【０００４】
番組を視聴する授権は番組といっしょに送信されるか、または別の通信チャンネル（例えば、帯域外ＲＦリンク）を介してそのセットトップボックスに送信される。例えば、授権情報には、サービスのキーと、サービス中のどの番組を契約者が視聴できるかを示す表示が含まれる。契約者がその番組を視聴する権利を有することを授権情報が示している場合、制御ワードジェネレータは送信された情報と復号キーを用いて、制御ワードを生成する。
【０００５】
プログラミング（ｐｒｏｇｒａｍｍｉｎｇ）が契約購入されている時は、サービスプロバイダは、必要に応じて後続の復号（ｄｅｃｒｙｐｔｉｏｎ）をするように、その契約者のセットトップボックスに授権コードを送信する。このデータは、授権情報を構成し、セキュリティモジュールに格納される。
【０００６】
いろいろな方法を用いて番組コンテントとそれに関連したＥＭＭ（個別情報、ｅｎｔｉｔｌｅｍｅｎｔ  ｍａｎａｇｅｍｅｎｔ  ｍｅｓｓａｇｅ）をスクランブルする。しかし、既存の放送システムは、衝動買い授権コードのための、顧客装置（一般的にはセットトップボックス）から放送ヘッドエンドへの双方向通信チャンネルには依存していない。双方向通信ではないので、例えばハッカーに番組を盗む機会を与えてしまうという弱点がある。現在の衝動買いシステムは、復号（ｄｅｃｒｙｐｔｉｏｎ）キーを顧客のセットトップボックスセキュリティモジュールに格納し、顧客が購入するだろうサービスをそのセキュリティモジュールが後で復号する。セキュリティモジュールに事前にプログラムされている購入の１つを顧客が実行した場合、一般的に、セキュリティモジュールはその購入の記録を格納し、既に有している復号キーを使用して、顧客に購入した対象素材（ｓｕｂｊｅｃｔ  ｍａｔｅｒｉａｌ）を視聴させる。セキュリティモジュールは後で課金センターと双方向通信チャンネルを設けるように構成され、課金情報をサービスプロバイダに返送する。セキュリティモジュールからの信号をハッカーが盗み、復号キーを復号した場合、そのハッカーは対価を支払わずに番組その他のサービスを得ることができる。また、ハッカーは番組を購入して、課金ポイントに送信する前にその購入記録を消去し、支払を逃れることもできる。
【発明の開示】
【課題を解決するための手段】
【０００７】
保証された（ｓｅｃｕｒｅｄ）ネットワークは、ヘッドエンドに配置された個別情報（ＥＭＭ）ジェネレータを含む。ヘッドエンドは、分散したセットトップボックスに番組コードを供給するために使用される。セットトップボックスは、セキュリティモジュールを有し、関連する顧客の視聴システムが設置されているところにある。顧客は、衝動買いする時、好ましい実施形態では、選択したものをセットトップボックスに入力する。これにより、所望の購入を示すメッセージがヘッドエンドに送信される。衝動買い信号の受信に応じて、ヘッドエンドは復号コードを送信するＥＭＭ等のメッセージを生成する。その復号コードは、受信すると、受信したセットトップボックスに衝動買いした番組の復号を許可する。注文に応じて、ヘッドエンドは課金レコードも生成し、それを課金センターに送信する。衝動買いした番組の授権コードは、その番組を実際に購入するセットトップボックスだけに送信される。これは、衝動買いの授権コードはイベントを購入する前にセキュリティモジュールにプリロードされている先行技術のシステムと対照的である。
【０００８】
本発明は、受信装置に関する。該受信装置は、次の要素を有する：衝動番組を受信する手段；所望の衝動買いを示す手段と、所望の衝動買いを送信する手段；衝動買いを示すメッセージに応じて授権を受信し、購入した番組に固有の授権コードを格納する手段。また、本発明は、課金レコードに必要なデータを生成し、このデータを課金センターに送信する。
【０００９】
本発明は、ここに、番組を購入する安全な手段を衝動買い者に提供する方法も含む。該方法は、番組を受信する手段を利用して衝動買いをするステップと、個別情報（ＥＭＭ）を介して、番組を受信する手段にあるセキュリティ手段から番組の提供に利用するデータの送受信を制御するヘッドエンド手段に、所望の購入を示すメッセージを送信するステップと、課金レコードを生成するステップと、購入した番組に固有の授権手段をアドレスするステップと、最後に、セキュリティモジュールが配置された装置に復号手段を送信するステップとを含む。
【００１０】
添付した図面を参照して以下の詳細な説明を読めば、本発明を最もよく理解することができる。図面のいろいろな特徴は、網羅的には記載されていない。逆に、明瞭にするため、いろいろな特徴を任意的に拡大または縮小した。
【発明の詳細な説明】
【００１１】
図１に示した先行技術は、マルチメディアプログラミング（ｐｒｏｇｒａｍｍｉｎｇ）を供給するサービスプロバイダ１０５のシステムの概要を示す。ほとんどのデジタル放送システムデータストリームは、セキュリティを目的として、すなわち、権限を授与された契約者のみが送信された番組を視聴することができることを確実にするため、暗号化またはスクランブルされている。
【００１２】
契約者ベースのデジタル放送システムでは、顧客は個別情報（ＥＭＭ）を受信する。この個別情報は、デジタルビデオデータとデジタルオーディオデータのデスクランブルとアセンブルを許可するのに必要な制御ワードを生成するために必要な情報を含んでいる。復号制御ワードは、セットトップボックス１１５（一般的にはスマートカード中）にプログラムされているアルゴリズムで処理される。そのアルゴリズムはＮビットのデスクランブリングキーを生成する。現在のシステムは一般的に５６ビットのキーを利用する。５６ビットキーは、番組をさらにデータデスクランブリングするために、トランスポートレジスタに格納される。システムは、一旦デスクランブリングすると、一般的にはＭＰＥＧ−２規格に従って、ビデオコンポジットピクチャをメモリに構成し、所望のピクチャをディスプレイに表示する。
【００１３】
デジタル放送システムの符号化は、エンタイトルメント制御ワード１１６を入力データの形式で復号仕様を含むパケットとして送受信することにより達成される。サービスプロバイダは、番組を放送する時、番組コンテント１１１をスクランブルする。
【００１４】
セットトップボックス１１５は、スクランブルされた番組１１１をデスクランブリングすべきかどうか判断する。授権コードに基づき、その番組が、顧客が購入したものであると判断した場合、セットトップボックス１１５はその番組をデスクランブルし、視聴できるようにする。セットトップボックス１１５は、デスクランブラ１１７を含む。このデスクランブラ１１７は、スクランブルされた番組１１１をデスクランブルするキーとして制御ワード１１９を使用する。制御ワード１１９は、共通情報１０９に含まれた情報と、セットトップボックス１１５に格納された授権情報１２３からの情報とに基づき、制御ワードジェネレータ１３１により生成される。
【００１５】
例えば、授権情報１２３には、サービスのキーと、サービス中のどの番組を契約者が視聴する権利を有するかを示す表示が含まれる。契約者がそのスクランブルされた番組１１１を視聴する権利を有することを授権情報１２３が示している場合、制御ワードジェネレータ１３１はＥＣＭ１０９からの情報と復号キーを用いて、制御ワード１１９を生成する。新しいＥＣＭ１０９それぞれに対して新しい制御ワード１１９が生成される。
【００１６】
セットトップボックス１１５で使用する授権情報は、そのセットトップボックス１１５に宛てられた１つ以上のＥＭＭ１１３から得られる。  番組を購入する時、サービスプロバイダは、必要に応じてデスクランブリングを許可するように、その契約者のセットトップボックス１１５にＥＭＭ１１３を送信する。また、個別情報（ＥＭＭ）１１３は、セットトップボックス１１５に、番組１１１とインターリーブされた形式で送信されるか、または、別のチャンネル１２７を介して送信される。セットトップボックス１１５は、個別情報（ＥＭＭ）１１３からの情報を、授権情報１２３を含むセキュリティモジュール１３３に格納する。
【００１７】
図２を参照して、ここに開示した本発明は、次のものを有する受信装置に関する：番組２１５を受信する手段；所望の衝動買い２４０を示す手段；所望の衝動買い２４５を通信する手段；所望の衝動買いの視聴を授権するコードをセットトップボックスに送信する手段２１３。本システムは、課金記録データ２３８を生成し、そのデータを、課金記録２６０を生成する手段に送る手段を含んでもよい。
【００１８】
より具体的に、サービスプロバイダは、番組を放送する時、番組コンテント２１１をスクランブルする。セットトップボックスは、衝動買いの送信を（スクランブルされた形式も含む）受信し、デスクランブルし、顧客が視聴できるデジタル信号を提供する手段を提供する。より具体的に、スクランブルされた番組コンテント２１１は、ビデオ及びオーディオのデータと、ＥＣＭ２０９等のいろいろな制御メッセージを含む。共通情報（ＥＣＭ）２０９は、デスクランブリングコードとして機能する制御ワード２１６を含む。番組２１１のスクランブルされた（そのデスクランブルコードが関係する）部分をデスクランブルし、その後、顧客が視聴できるようにアセンブルする。
【００１９】
セットトップボックス２１５は、前述したように、放送番組を含む保護されたデジタルデータストリーム２２９を復号するセットトップボックス２１５は、スクランブルされた番組２１１をデスクランブリングすべきかどうか判断する。授権コードに基づき、その番組が、顧客が購入したものであると判断した場合、セットトップボックス２１５はその番組をデスクランブルし、視聴できるようにする。セットトップボックス２１５は、デスクランブラ２１７を含む。このデスクランブラ１１７は、スクランブルされた番組２１１をデスクランブルするキーとして制御ワード２１９を使用する。制御ワード２１９は、共通情報２０９に含まれた情報と、セットトップボックス２１５に格納された授権情報２２３からの情報とに基づき、制御ワードジェネレータ２３１により生成される。
【００２０】
スクランブルされたデータと、制御ワード２１６と関連するＥＣＭ２０９とは、レシーバ２１５で受信される。このレシーバ２１５は、送信されたデジタルデータを復号するＮビットのデスクランブリングキーを表す制御ワード２１６を生成する（一般的には、レシーバに挿入されたスマートカード上にある）手段を有する。
【００２１】
先行技術についての説明で示したように、授権情報２２３には、サービスのキーと、サービス中のどの番組を契約者が視聴する権利を有するかを示す表示が含まれる。契約者がそのスクランブルされた番組２１１を視聴する権利を有することを授権情報２２３が示している場合、制御ワードジェネレータ２３１はＥＣＭ２０９からの情報と復号キーを用いて、制御ワード２１９を生成する。本発明は、先行技術と以下の点で異なる。すなわち、授権情報はセットトップボックス２１５にプリロードされておらず、所望の衝動買いの要求と所望の衝動買い２４５を通信する応答手段に依存している。
【００２２】
先行技術では、授権情報は、選択された衝動的番組のずっと前に送信されている（プリロードされている）。ここに開示した発明では、トランスミッタ手段２４５とレシーバ手段２５０を介して通信された所望の衝動買い２４０を受信すると、ヘッドエンドは授権情報２２７をセキュリティモジュール２３３に送信することにより応答する。セキュリティモジュール２３３では、授権情報はメモリ２２３に格納される。授権情報２２７を通信する１つの手段は、ＥＭＭ２１３を介すことである。ＥＭＭ２１３は、セットトップボックス２１５に、番組２１１とインターリーブされた形式で送信されるか、あるいは、別のチャンネル２２７を介して（例えば、帯域外周波数または通信ネットワークを利用して）送信される。セットトップボックス２１５は、個別情報（ＥＭＭ）２１３からの情報をセキュリティモジュール２３３のメモリ２２３に格納する。
【００２３】
ここで開示したプログラミング（ｐｒｏｇｒａｍｍｉｎｇ）を送受信する装置は、課金レコード２６０を生成する手段を含む。また、請求書は、最終的には、課金センター２７０に双方向通信チャンネルを介して送信される。
【００２４】
図３を参照して、衝動買い者に番組を購入する安全な手段を提供する方法は、以下のステップを含む：
所望の衝動買い番組を選択するステップ３０１；所望の衝動買い番組選択をサービスプロバイダに送信するステップ３１０；所望の衝動買い番組と与えられたレシーバに一意的に関連するコードを送信することにより、所望の衝動買い番組に応答するステップ３２０；
所望の衝動買い番組と関連するコードをセキュリティモジュールに格納するステップ３３０；セキュリティモジュールに格納されたコードに関連するエンタイトルメントコードを有する番組を送信するステップ３４０；エンタイトルメントコードを復号するステップ３５０；エンタイトルメントコードが番組の視聴を授権するセキュリティモジュールに格納されたコードと一致しない場合３６０；視聴する権限がないと表示するステップ３８０と、
エンタイトルメントコードが一致した場合、視聴のために番組ビデオを復号しアセンブルするステップ３７０；及びビデオを表示するステップ３９０。
【００２５】
言うまでもなく、ここに示した本発明の形式は、好ましい実施形態に過ぎない。各部分の機能や構成はいろいろと変更してもよい；図示して説明した手段は、等価な手段で置き換えてもよい；また、請求項に記載した本発明の精神と範囲から逸脱することなく、一部の特徴を他の特徴と独立に使用することができる。
【図面の簡単な説明】
【００２６】
【図１】限定受信システムの先行技術を示すブロック図である。
【図２】衝動買い番組を保証（ｓｅｃｕｒｅ）する本発明を示すブロック図である。
【図３】衝動買い番組を保証する方法を示すフローチャートである。
【図１】
2007529168.tif 000003
【図２】
2007529168.tif 000004
【図３】
2007529168.tif 000005
【手続補正書】
【提出日】平成17年6月8日(2005.6.8)
【手続補正１】
【補正対象書類名】特許請求の範囲
【補正対象項目名】全文
【補正方法】変更
【補正の内容】
【特許請求の範囲】
【請求項１】
受信装置であって、
衝動買い選択をサービスプロバイダに通信する手段と、
衝動買い選択に応答してサービスプロバイダにより送信された授権キーを受信する手段と、
衝動買い選択と関連する番組を受信する手段と、
授権キーを用いて受信した番組を処理する手段と、
を有することを特徴とする受信装置。
【請求項２】
受信装置であって、
所望の衝動買い選択を示す手段と、
所望の衝動買い選択をサービスプロバイダに通信する手段と、
受信装置に送信された、所望の衝動買い選択に固有の授権キーを受信する手段と、
衝動買い選択と関連する所望の番組の送信を受信する手段と、
授権キーを用いて受信した番組を処理する手段と、
を有することを特徴とする受信装置。
【請求項３】
請求項２に記載の受信装置であって、
所望の衝動買い選択を通信する手段は帯域外周波数を介して選択を送信することを特徴とする受信装置。
【請求項４】
請求項２に記載の受信装置であって、
授権キーを受信する手段は帯域外周波数を介して授権キーを送信することを特徴とする受信装置。
【請求項５】
請求項２に記載の受信装置であって、
所望の衝動買いを通信する手段は双方向通信インターフェイスを利用することを特徴とする受信装置。
【請求項６】
請求項５に記載の受信装置であって、
授権キーの受信に応答して課金レコードを生成する手段をさらに有し、
課金レコードは双方向通信インターフェイスを介して送信されることを特徴とする受信装置。
【請求項７】
受信装置であって、
衝動買いメッセージを送信し、衝動買いメッセージの送信に応答して送信された、衝動買い番組と関連する授権キーを受信する同調・通信部と、
授権キーに応じてデジタル番組をビデオディスプレイにフォーマットする制御・復号部と、を有することを特徴とする受信装置。
【請求項８】
衝動買い番組を購入する安全な手段を提供する方法であって、
衝動買い選択を示すメッセージをサービスプロバイダ手段に通信するステップと、
通信されたメッセージに応答して送信された、衝動買い番組に固有の授権情報を受信するステップと、
衝動買い番組を受信するステップと、
授権情報に応じて衝動買い番組を処理するステップと、を有することを特徴とする方法。
【請求項９】
請求項８に記載の方法であって、
通信するステップは、帯域外周波数を介してメッセージを通信することを含むことを特徴とする方法。
【請求項１０】
請求項８に記載の方法であって、
受信するステップは、帯域外周波数を介して授権を受信することを含むことを特徴とする方法。
【請求項１１】
請求項８に記載の方法であって、
通信するステップは、双方向通信インターフェイスを介してメッセージを通信することを含むことを特徴とする方法。
【請求項１２】
請求項８に記載の方法であって、
課金レコードを生成して、双方向通信インターフェイスを介して課金レコードを送信するステップをさらに有することを特徴とする方法。
【請求項１３】
衝動買い番組を購入する安全な手段を提供する方法であって、
所望の衝動買い番組を選択するステップと、
所望の衝動買い番組選択をサービスプロバイダに通信するステップと、
所望の衝動買い番組に一意的に関連する授権コードを送信することにより、通信された衝動買い番組選択に応答するステップと、
所望の衝動買い番組と関連する授権コードをセキュリティモジュールに格納するステップと、
セキュリティモジュールに格納された授権コードに関連するエンタイトルメントコードを有する衝動買い番組を送信するステップと、
エンタイトルメントコードを復号するステップと、
エンタイトルメントコードをセキュリティモジュールに格納されたコードと比較して、衝動買い番組の視聴を許可するステップと、を有することを特徴とする方法。
【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
衝動買い選択をサービスプロバイダに通信する手段と、
衝動買い選択に応答してサービスプロバイダにより送信された授権キーを受信する手段と、
衝動買い選択と関連する番組を受信する手段と、
授権キーを用いて受信した番組を処理する手段と、
を有することを特徴とする受信装置。
【請求項２】
所望の衝動買い選択を通信する手段は帯域外周波数を介して選択を送信する、請求項１に記載の受信装置。
【請求項３】
授権キーを受信する手段は帯域外周波数を介して授権キーを送信する、請求項１に記載の受信装置。
【請求項４】
衝動買い番組を購入する安全な手段を提供する方法であって、
衝動買い選択を示すメッセージをサービスプロバイダ手段に通信するステップと、
通信されたメッセージに応答して送信された、衝動買い番組に固有の授権情報を受信するステップと、
衝動買い番組を受信するステップと、
授権情報に応じて衝動買い番組を処理するステップと、を有することを特徴とする方法。
【請求項５】
通信するステップは、帯域外周波数を介してメッセージを通信することを含む、請求項４に記載の方法。
【請求項６】
受信するステップは、帯域外周波数を介して授権を受信することを含む、請求項４に記載の方法。
【請求項７】
衝動買い番組を購入する安全な手段を提供する方法であって、
所望の衝動買い番組を選択するステップと、
所望の衝動買い番組選択をサービスプロバイダに通信するステップと、
所望の衝動買い番組に一意的に関連する授権コードを送信することにより、通信された衝動買い番組選択に応答するステップと、
所望の衝動買い番組と関連する授権コードをセキュリティモジュールに格納するステップと、
セキュリティモジュールに格納された授権コードに関連するエンタイトルメントコードを有する衝動買い番組を送信するステップと、
エンタイトルメントコードを復号するステップと、
エンタイトルメントコードをセキュリティモジュールに格納されたコードと比較して、衝動買い番組の視聴を許可するステップと、を有する方法。
【国際調査報告】
2007529168.tif 000006
2007529168.tif 000007